Podtech/llm-jp-corpus-v4-ja_patent huggingface dataset:
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
InfiniBand（ＩＢ）ファブリックにおけるファブリックコンポーネントの信頼性を検証する方法であって、
ＩＢファブリックにおけるファブリックコンポーネントに第１の暗号化されたメッセージをサブネットマネージャを介して送信するステップを備え、前記第１の暗号化されたメッセージはトークンを含み、前記ファブリックコンポーネントと関連付けられた公開キーを使用して暗号化され、方法はさらに、
前記ファブリックコンポーネントに当該ファブリックコンポーネントと関連付けられた秘密キーを使用して前記第１の暗号化されたメッセージを復号化させ、前記サブネットマネージャへ第２の暗号化されたメッセージを送信させるステップと、
前記第２の暗号化されたメッセージが正しい情報を含む場合にサブネットマネージャを介して前記ファブリックコンポーネントを認証するステップとを備える、方法。
【請求項２】
前記ファブリックコンポーネントをテナントに指定されたホストチャンネルアダプタ（ＨＣＡ）ファームウェアまたはハイパーバイザ／ＯＳとするステップをさらに備える、請求項１に記載の方法。
【請求項３】
前記第１の暗号化されたメッセージに含まれる前記トークンをランダムバイトストリングとするステップをさらに備える、請求項１または２に記載の方法。
【請求項４】
前記ファブリックコンポーネントに当該ファブリックコンポーネントと関連付けられた前記秘密キーを埋込型ファームウェアに隠させるステップをさらに備える、請求項１から３のいずれかに記載の方法。
【請求項５】
前記ファブリックコンポーネントに当該ファブリックコンポーネントと関連付けられた前記秘密キーをタンパー防止不揮発性キー記憶部に記憶させるステップをさらに備える、請求項１から４のいずれかに記載の方法。
【請求項６】
前記ファブリックコンポーネントと関連付けられた前記公開キーをレポジトリに記憶するステップをさらに備える、請求項１から５のいずれかに記載の方法。
【請求項７】
前記サブネットマネージャと関連付けられた公開キーを前記第１の暗号化されたメッセージと併せて前記ファブリックコンポーネントに対して送信するステップをさらに備える、請求項１から６のいずれかに記載の方法。
【請求項８】
前記ファブリックコンポーネントに前記サブネットマネージャと関連付けられた前記公開キーを使用して前記第２の暗号化されたメッセージを暗号化させるステップをさらに備える、請求項７に記載の方法。
【請求項９】
前記サブネットマネージャと関連付けられた秘密キーを使用して前記第２の暗号化されたメッセージを当該サブネットマネージャを介して復号化するステップをさらに備える、請求項８に記載の方法。
【請求項１０】
前記第２の暗号化されたメッセージに関して前記サブネットマネージャに対して前記トークンが返信された場合にのみ前記ファブリックコンポーネントを認証するステップをさらに備える、請求項１から９のいずれかに記載の方法。
【請求項１１】
InfiniBand（ＩＢ）ファブリックにおけるファブリックコンポーネントの信頼性を検証するためのシステムであって、
前記ＩＢファブリックにおけるファブリックコンポーネントを認証する役割を担うサブネットマネージャを備え、
前記サブネットマネージャは、
前記ＩＢファブリックにおける前記ファブリックコンポーネントに第１の暗号化されたメッセージを送信するように構成され、前記第１の暗号化されたメッセージはトークンを含み、前記ファブリックコンポーネントと関連付けられた公開キーを使用して暗号化され、前記サブネットマネージャはさらに、
前記ファブリックコンポーネントに当該ファブリックコンポーネントと関連付けられた秘密キーを使用して前記第１の暗号化されたメッセージを復号化させ、前記サブネットマネージャへ第２の暗号化されたメッセージを送信させ、
前記第２の暗号化されたメッセージが正しい情報を含む場合に前記ファブリックコンポーネントを認証するように構成される、システム。
【請求項１２】
前記ファブリックコンポーネントは、テナントに指定されたホストチャンネルアダプタ（ＨＣＡ）ファームウェアまたはハイパーバイザ／ＯＳである、請求項１１に記載のシステム。
【請求項１３】
前記第１の暗号化されたメッセージに含まれる前記トークンは、ランダムバイトストリングである、請求項１１または１２に記載のシステム。
【請求項１４】
前記ファブリックコンポーネントは、当該ファブリックコンポーネントと関連付けられた前記秘密キーを埋込型ファームウェアに隠す、請求項１１から１３のいずれかに記載のシステム。
【請求項１５】
前記ファブリックコンポーネントは、当該ファブリックコンポーネントと関連付けられた前記秘密キーをタンパー防止不揮発性キー記憶部に記憶する、請求項１１から１４のいずれかに記載のシステム。
【請求項１６】
前記ファブリックコンポーネントと関連付けられた前記公開キーをレポジトリに記憶する、請求項１１から１５のいずれかに記載のシステム。
【請求項１７】
前記サブネットマネージャと関連付けられた公開キーが前記暗号化されたメッセージと併せて前記ファブリックコンポーネントに対して送信される、請求項１１から１６のいずれかに記載のシステム。
【請求項１８】
前記ファブリックコンポーネントは、前記サブネットマネージャと関連付けられた前記公開キーを使用して前記第２の暗号化されたメッセージを暗号化するように動作する、請求項１７に記載のシステム。
【請求項１９】
前記サブネットマネージャは、
前記サブネットマネージャと関連付けられた秘密キーを使用して前記第２の暗号化されたメッセージを復号化し、
前記第２の暗号化されたメッセージにおいて前記サブネットマネージャに前記トークンが返信された場合にのみ前記ファブリックコンポーネントを認証するように動作する、請求項１８に記載のシステム。
【請求項２０】
請求項１から１０のいずれかに記載の方法をコンピュータに実行させるためのプログラム。
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
フレームと、前記フレーム内に配設された発光ダイオード（ＬＥＤ）パネルと、前記フレーム内に配設された電源回路であって、実質的に平坦なＬＥＤパネルを外部電源に電気的に接続するように構成されている電源回路とを具備し、前記電源回路は、ＡＣ出力を前記ＬＥＤパネルに給電するのに適したＤＣ出力に変換する駆動回路を備えている、照明器具。
【請求項２】
前記電源回路は、前記フレームによって形成されたチャネル内に設置されるサイズである、請求項１に記載の照明器具。
【請求項３】
前記チャネルは、前記フレームの少なくとも１つのエッジに隣接して設けられている、請求項２に記載の照明器具。
【請求項４】
前記電源回路は、長さおよび幅を有し、前記長さ対幅の比は、少なくとも５対１である、請求項１に記載の照明器具。
【請求項５】
前記電源回路は、長さおよび幅を有し、前記長さ対幅の比は、少なくとも１０対１である、請求項４に記載の照明器具。
【請求項６】
前記フレームの少なくとも一部は、前記フレームのエッジに隣接して設けたＬＥＤアレイを支持するように構成されている、請求項１に記載の照明器具。
【請求項７】
前記電源回路は、前記回路モジュールのアレイを備えている、請求項１に記載の照明器具。
【請求項８】
前記チャネルの高さは、約０．５インチ（１．２７ｃｍ）以下である、請求項２に記載の照明器具。
【請求項９】
前記第チャネルの幅は、約１．０インチ（２．５４ｃｍ）以下である、請求項２に記載の照明器具。
【請求項１０】
前記フレームの少なくとも一部は、前記電源回路を支持するように構成された第２のチャネルを形成している、請求項２に記載の照明器具。
【請求項１１】
前記ＬＥＤパネルは、前記フレームの少なくとも１つのエッジに隣接して設けた複数のＬＥＤを備えている、請求項１に記載の照明器具。
【請求項１２】
前記ＬＥＤパネルは、光透過パネルと、前記フレームの少なくとも１つのエッジに隣接して設けられ、前記光透過パネルに隣接して設けたＬＥＤアレイとを備えている、請求項１に記載の照明器具。
【請求項１３】
前記照明器具の前記フレームの厚みは、約０．５インチ（１．２７ｃｍ）以下である、請求項１に記載の照明器具。
【請求項１４】
前記照明器具の前記フレームの厚みは、約１．０インチ（２．５４ｃｍ）以下である、請求項１に記載の照明器具。
【請求項１５】
前記ＬＥＤパネルは、  第１のＬＥＤ構成と、  第２のＬＥＤ構成とを備えており、  前記電源回路は、前記第１のＬＥＤ構成に第１の期間にわたって繰り返し給電し、前記第２のＬＥＤ構成に前記第１の期間に等しい第２の期間にわたって給電するように構成されている、請求項１に記載の照明器具。
【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
交差結合又はシールド絶縁に好適な物品であって、
外側半導電性層と、少なくとも１つの壁により画定される第１のチャンバと、を有する第１のハウジングを備える第１の接続装置であって、前記外側半導電性層が前記第１のチャンバの少なくとも１つの壁の一部を備える、第１の接続装置と、
露出したケーブル絶縁シールド層と露出したケーブル金属アース層とを有する第１のケーブルアセンブリであって、前記第１のケーブルアセンブリの少なくとも一部が前記第１の接続装置の前記第１のチャンバ内に配置される、第１のケーブルアセンブリと、を備える、第１のデッドフロント端子を備え、
前記ケーブル絶縁シールド層及び前記ケーブル金属アース層が、前記接続装置の前記外側半導電性層から電気的に絶縁されており、
前記ケーブル金属アース層が、第１の外部導体に電気的に接続されている、物品。
【請求項２】
前記ケーブル絶縁シールド層及び前記ケーブル金属アース層の一方又は両方が、前記接続装置ハウジングの前記第１のチャンバ内に位置し、
前記ケーブル絶縁シールド層及び前記ケーブル金属アース層の一方又は両方が、絶縁スリーブにより前記接続装置の前記外側半導電性層から絶縁されており、
前記絶縁スリーブがエラストマースリーブである、請求項１に記載の物品。
【請求項３】
前記第１の外部導体が、第２のケーブルアセンブリのケーブル金属アース層に電気的に接続されている第２の外部導体に電気的に接続され、前記第２のケーブルアセンブリの少なくとも一部が、第２のデッドフロント端子の第２の接続装置の第２のハウジングの第１のチャンバ内に配置されており、
第３の接続装置と第３のケーブルアセンブリとを備える第３のデッドフロント端子を更に備え、前記第３のケーブルアセンブリの少なくとも一部が、前記第３の接続装置の第３のハウジングの第１のチャンバ内に配置されており、第３の外部導体が、前記第３のケーブルアセンブリのケーブル金属アース層と、第４のケーブルアセンブリのケーブル金属アース層に電気的に接続された第４の外部導体とに電気的に接続され、前記第４のケーブルアセンブリの少なくとも一部が、第４のデッドフロント端子の第４の接続装置の第４のハウジングの第１のチャンバ内に配置されており、
第５の接続装置と第５のケーブルアセンブリとを備える第５のデッドフロント端子を更に備え、前記第５のケーブルアセンブリの少なくとも一部が、前記第５の接続装置の第５のハウジングの第１のチャンバ内に配置されており、第５の外部導体が、前記第５のケーブルアセンブリのケーブル金属アース層と、第６のケーブルアセンブリのケーブル金属アース層に電気的に接続された第６の外部導体とに電気的に接続され、前記第６のケーブルアセンブリの少なくとも一部が、第６のデッドフロント端子の第６の接続装置の第６のハウジングの第１のチャンバ内に配置されており、
前記第１及び第２のケーブルアセンブリの前記第１及び第２のケーブルが、それぞれ三相電力システムの異なる電圧位相にあり、前記第３及び第４のケーブルアセンブリの前記第３及び第４のケーブルが、それぞれ三相電力システムの異なる電圧位相にあり、前記第５及び第６のケーブルアセンブリの前記第５及び第６のケーブルが、それぞれ三相電力システムの異なる電圧位相にある、請求項１に記載の物品。
【請求項４】
第１及び第２の端部をそれぞれ有する９本のケーブル片であって、
第１、第２、及び第３のケーブル片が、ケーブルアセンブリを備える第２の端部をそれぞれ有し、第４、第５、及び第６のケーブル片が、ケーブルアセンブリを備える第１及び第２の端部をそれぞれ有し、第７、第８、及び第９のケーブル片が、ケーブルアセンブリを備える第１の端部をそれぞれ有する、９本のケーブル片と、
外側半導電性層と少なくとも１つの壁により画定される第１のチャンバとを有する第１のハウジングをそれぞれ備え、前記外側半導電性層が、前記第１のチャンバの少なくとも１つの壁の一部を備える、１２個の接続装置と、を備えるシステムであって、
それぞれのケーブルアセンブリの少なくとも一部は、接続装置のハウジングの第１のチャンバ内にあり、
それぞれのケーブルアセンブリが、露出したケーブル絶縁シールド層及びケーブル金属アース層を有し、それぞれのケーブル絶縁シールド層及びケーブル金属アース層が、前記接続装置の前記外側半導電性層から電気的に絶縁されており、
前記第１のケーブル片の前記第２の端部上の前記ケーブル金属アース層が、前記第４のケーブル片の前記第１の端部上の前記ケーブル金属アース層に電気的に接続され、前記第２のケーブル片の前記第２の端部上の前記ケーブル金属アース層が、前記第５のケーブル片の前記第１の端部上の前記ケーブル金属アース層に電気的に接続され、前記第３のケーブル片の前記第２の端部上の前記ケーブル金属アース層が、前記第６のケーブル片の前記第１の端部上の前記ケーブル金属アース層に電気的に接続され、前記第４のケーブル片の前記第２の端部上の前記ケーブル金属アース層が、前記第７のケーブル片の前記第１の端部上の前記ケーブル金属アース層に電気的に接続され、前記第５のケーブル片の前記第２の端部上の前記ケーブル金属アース層が、前記第８のケーブル片の前記第１の端部上の前記ケーブル金属アース層に電気的に接続され、前記第６のケーブル片の前記第２の端部上の前記ケーブル金属アース層が、前記第９のケーブル片の前記第１の端部上の前記ケーブル金属アース層に電気的に接続され、
前記第１、第４、及び第７のケーブル片が、三相電力システムの異なる電圧位相にあり、前記第２、第５、及び第８のケーブル片が、三相電力システムの異なる電圧位相にあり、前記第３、第６、及び第９のケーブル片が、三相電力システムの異なる電圧位相にある、システム。
【請求項５】
前記ケーブル絶縁シールド層及び前記ケーブル金属アース層の一方又は両方が、絶縁スリーブにより前記接続装置の前記外側半導電性層から絶縁されている、請求項４に記載のシステム。
【請求項６】
交差結合又はシールド絶縁に好適なデッドフロントケーブル端子を、露出したケーブルシールド層及びケーブル金属アース層を有するケーブルアセンブリに取り付けるためのキットであって、
外側半導電性層と少なくとも１つの壁により画定される第１のチャンバとを有するハウジングを備える接続装置であって、前記外側半導電性層が前記第１のチャンバの少なくとも１つの壁の一部を備える、接続装置と、
前記ケーブルアセンブリの前記ケーブル絶縁シールド及び前記ケーブル金属アース層の一方又は両方を前記接続装置の前記外側半導電性層から電気的に絶縁するための装置と、を備える、キット。
【請求項７】
前記ケーブルアセンブリの前記ケーブル金属アース層に接続するための導体を更に備える、請求項６に記載のキット。
【請求項８】
前記ケーブル絶縁シールド及び前記ケーブル金属アース層の一方又は両方を電気的に絶縁するための前記装置が絶縁スリーブであり、
前記絶縁スリーブがコールドシュリンクスリーブであり、
前記接続装置ハウジング及び前記絶縁スリーブの一方又は両方がエラストマーシリコーンを備える、請求項６に記載のキット。
【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
ユーザデバイスにおいてメッセージアカウントにアクセスする方法であって、
前記ユーザデバイスにおいて複数のメッセージアカウントを提供するステップであって、前記複数のメッセージアカウントは、少なくとも第１のメッセージアカウント、第２のメッセージアカウント、第３のメッセージアカウント及び第４のメッセージアカウントを含む、ステップと、
前記第１のメッセージアカウントと前記第２のメッセージアカウントとを選択するユーザ入力を受信するステップと、
前記第１のメッセージアカウントと前記第２のメッセージアカウントとをリンクして、第１の結合メッセージボックスを作成するステップと、
前記第３のメッセージアカウントと前記第４のメッセージアカウントとを選択するユーザ入力を受信するステップと、
前記第３のメッセージアカウントと前記第４のメッセージアカウントとをリンクして、第２の結合メッセージボックスを作成するステップと、
前記第１の結合メッセージボックスを、前記第１のメッセージアカウントと前記第２のメッセージアカウントとの双方からのメッセージのリストとして表示するステップと、
前記第２の結合メッセージボックスを、前記第３のメッセージアカウントと前記第４のメッセージアカウントとの双方からのメッセージのリストとして表示するステップと、
を含む、方法。
【請求項２】
前記第１、第２、第３及び第４のメッセージアカウントは、電子メールアカウント、テキストメッセージアカウント、ソーシャルネットワークメッセージインボックス又はインスタントメッセージアカウントのうちの１つである、
請求項１に記載の方法。
【請求項３】
前記第１、第２、第３又は第４のメッセージアカウントのうちの少なくとも１つを、前記第１又は第２の結合メッセージボックスのうちの少なくとも一方とリンクするために、メッセージアカウントのリストから選択するのに使用可能なインタフェースを提供するステップ
を更に含む、請求項１又は２に記載の方法。
【請求項４】
前記第１のメッセージアカウントは第１のサービスプロバイダに関連付けられ、前記第２のメッセージアカウントは第２のサービスプロバイダに関連付けられる、
請求項１乃至３のいずれかに記載の方法。
【請求項５】
前記第１又は第２の結合メッセージボックスに名前を割り当てるステップを更に含む、
請求項１乃至４のいずれかに記載の方法。
【請求項６】
ユーザインタフェースに、前記第１又は第２の結合メッセージボックスの少なくとも一方に関連付けられるアイコンを追加するステップを更に含み、
前記アイコンは、該アイコンに関連付けられる結合メッセージボックスの名前と、該アイコンに関連付けられる結合メッセージボックスを作成するようリンクされるメッセージアカウントの一方の名前と、及び該アイコンに関連付けられる結合メッセージボックスを作成するようリンクされるメッセージアカウントにおけるメッセージの数の合計を表す数と、のうちの１つ又は複数の表示を含む、
請求項１乃至５のいずれかに記載の方法。
【請求項７】
前記第１、第２、第３又は第４のメッセージアカウントのうちの１つをリンク解除するユーザ入力を受信したことに基づいて、対応するメッセージアカウントをリンク解除するステップを更に含む、
請求項１乃至６のいずれかに記載の方法。
【請求項８】
プロセッサによって実行されると、該プロセッサに、請求項１乃至７のいずれかに記載の方法を実行させるコンピュータプログラム。
【請求項９】
メッセージアカウントを選択的にリンクすることが可能なデバイスであって、
プロセッサと、
コンピュータプログラムを格納するメモリと、
を備え、
前記コンピュータプログラムは、前記プロセッサによって実行されると、前記プロセッサに、
前記デバイスにおいて複数のメッセージアカウントを提供するステップと、
前記複数のメッセージアカウントのうちの第１のサブセットを識別する、受信したユーザ入力に基づいて、前記複数のメッセージアカウントの前記第１のサブセットをリンクして第１の結合メッセージボックスを作成するステップであって、該第１の結合メッセージボックスは、前記複数のメッセージアカウントのうちの前記第１のサブセット内のメッセージアカウントの各々からのメッセージを含む、ステップと、
前記複数のメッセージアカウントのうちの第２のサブセットを識別する、受信したユーザ入力に基づいて、前記複数のメッセージアカウントの前記第２のサブセットをリンクして第２の結合メッセージボックスを作成するステップであって、該第２の結合メッセージボックスは、前記複数のメッセージアカウントのうちの前記第２のサブセット内のメッセージアカウントの各々からのメッセージを含む、ステップと、
を実行させる、デバイス。
【請求項１０】
プロセッサによって実行されると、該プロセッサに結合メッセージボックスを提供する方法を実行させるコンピュータプログラムであって、前記方法が、
メッセージアカウントのリストを表示するステップと、
リンクすべき第１のメッセージアカウントを選択するユーザ入力を受信するステップと、
リンクすべき第２のメッセージアカウントを選択するユーザ入力を受信するステップと、
前記第１のメッセージアカウントと前記第２のメッセージアカウントとをリンクして、第１の結合メッセージボックスを作成するステップと、
リンクすべき第３のメッセージアカウントを選択するユーザ入力を受信するステップと、
リンクすべき第４のメッセージアカウントを選択するユーザ入力を受信するステップと、
前記第３のメッセージアカウントと前記第４のメッセージアカウントとをリンクして、第２の結合メッセージボックスを作成するステップと、
前記第１及び第２の結合メッセージボックスの少なくとも一方に名前を割り当てるステップと、
前記第１の結合メッセージボックスを、前記第１のメッセージアカウントと前記第２のメッセージアカウントの双方からのメッセージのリストとして表示するステップと、
前記第２の結合メッセージボックスを、前記第３のメッセージアカウントと前記第４のメッセージアカウントの双方からのメッセージのリストとして表示するステップと、
を含む、コンピュータプログラム。
【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
電気的コンタクト及び機械的マウントのためのベース要素と、
少なくとも１つのＬＥＤ素子を有するＬＥＤ配置であって、長手方向軸に沿って、前記ベース要素とは離れて配置された前記ＬＥＤ配置と、
熱散逸構造と、を有し、
前記熱散逸構造は、下位の熱散逸構造を有し、
前記下位の熱散逸構造は、前記ベース要素と前記ＬＥＤ配置との間に配置され、
前記熱散逸構造は、上位の熱散逸構造を更に有し、
前記上位の熱散逸構造は、前記ＬＥＤ配置の隣に配置される、照明装置。
【請求項２】
前記下位の熱散逸構造は、前記長手方向軸に対して少なくとも略垂直に配置された、熱伝導材料で作られた複数の平面熱散逸素子を有し、
前記複数の平面熱散逸素子は、互いに離れて配置されるとともに、共通のマウントロッドにマウントされる、請求項１記載の照明装置。
【請求項３】
前記下位の熱散逸構造は、前記長手方向軸に沿った第１の長手方向位置において、前記長手方向軸に対して垂直な断面方向に第１の拡がりを持つとともに、第２の長手方向位置において、断面方向に第２の拡がりを持つように形成され、
前記第１の長手方向位置は、前記第２の長手方向位置より前記ＬＥＤ配置の近くに配置され、前記第１の拡がりは、前記第２の拡がりよりも小さい、請求項２記載の照明装置。
【請求項４】
前記複数の平面熱散逸素子は、断面方向において異なる拡がりをそれぞれ持つとともに、前記ＬＥＤ配置から前記ベース要素へ向かう方向において、前記長手方向軸に沿って減少していく拡がりを有する段階的配置で配置される、請求項２又は３記載の照明装置。
【請求項５】
前記ベース要素は、少なくとも１つの電気的コンタクトを有し、駆動回路が、前記ベース要素内に配置され、前記駆動回路は、前記ＬＥＤ素子に電力を供給するために前記ＬＥＤ素子に電気的に接続されている、請求項１乃至４のいずれか１項に記載の照明装置。
【請求項６】
前記駆動回路は、前記下位の熱散逸構造の中央ロッドを通じて延在している導線によって、前記ＬＥＤ素子に接続される、請求項５記載の照明装置。
【請求項７】
前記上位の熱散逸構造は、少なくとも第１の端部と前記長手方向軸に対して垂直な横軸に沿って前記第１の端部から離れて配置される第２の端部とを含む、請求項１乃至６のいずれか１項に記載の照明装置。
【請求項８】
前記上位の熱散逸構造は、単一の平面熱散逸素子を有する、請求項１乃至７のいずれか１項に記載の照明装置。
【請求項９】
前記上位の熱散逸構造は、互いに離れて配置された２つの熱散逸素子を有する、請求項１乃至８のいずれか１項に記載の照明装置。
【請求項１０】
前記上位の熱散逸構造が有する前記熱散逸素子は、少なくとも２つの平面ヒートフィンを有する、請求項８又は９記載の照明装置。
【請求項１１】
前記フィンは、５０°乃至７０°の範囲内の角度で配置される、請求項１０記載の照明装置。
【請求項１２】
前記第１の端部及び/又は前記第２の端部はアーチ型である、請求項７乃至１１のいずれか１項に記載の照明装置。
【請求項１３】
前記上位の熱散逸構造は、前記ＬＥＤ配置を超えて、上側において、前記ＬＥＤ配置の前記長手方向軸に沿って延在する、請求項１乃至１２のいずれか１項に記載の照明装置。
【請求項１４】
前記上位の熱散逸構造は、光反射性である、請求項１乃至１３のいずれか１項に記載の照明装置。
【請求項１５】
請求項１乃至１４のいずれか１項に記載の照明装置と、
凹状の内部反射器表面及びマウント開口を具備する反射器体と、を有し、
前記照明装置は、前記ＬＥＤ配置が前記反射器体内に配置されるとともに、前記ＬＥＤ配置から発せられる光が前記内部反射器表面によって反射されるように、前記マウント開口内にマウントされる、照明配置。
【手続補正書】
【提出日】平成27年4月8日(2015.4.8)
【手続補正１】
【補正対象書類名】特許請求の範囲
【補正対象項目名】全文
【補正方法】変更
【補正の内容】
【特許請求の範囲】
【請求項１】
光源の前方で使用される天空光外観を得るための光学素子であって、前記光学素子は、ラスター構造で配置された複数の透光性セルを有し、前記透光性セルは、
前記光源によって出射された光の一部を平行にするための透光性チャネルと、
前記透光性チャネルの第一側にある、前記光源からの光を受けるための光入射窓と、
少なくとも一部が前記透光性チャネルの前記第一側とは反対の第二側に配置された、前記天空光外観を有する光を出射するための光出口窓と、
前記光入射窓と前記光出口窓の前記一部との間に挟まれる壁とを有し、前記壁は、前記透光性チャネルを囲い、前記壁の少なくとも一部は、前記光出口窓の前記一部の法線に対して比較的大きな光出射角で青色光出射を得るために、予め定義されたスペクトル域において透過性であり、前記壁は、青色であることを特徴とする、光学素子。
【請求項２】
前記壁は、青色透明合成材料からなる、請求項１に記載の光学素子。
【請求項３】
前記壁は、青色のチューブの断片を有し、前記青色のチューブの断片は、接着して合わせられる、請求項２に記載の光学素子。
【請求項４】
前記光出口窓を通って放射される光を拡散するための光拡散体を前記光出口窓にさらに有し、及び／又は、前記光入射窓を通って放射される光を拡散するための他の光拡散体を前記光入射窓に有する、請求項１に記載の光学素子。
【請求項５】
前記光拡散体及び／又は前記他の光拡散体は、前記光拡散体を通過する角光出射分布の半値全幅角を２０度以下増加させる、請求項４に記載の光学素子。
【請求項６】
前記光拡散体及び／又は前記他の光拡散体は、前記光拡散体を通過する角光出射分布の半値全幅角を１０度以下増加させる、請求項４に記載の光学素子。
【請求項７】
前記光拡散体は、前記透光性セルの前記壁を遮蔽するために、前記光出口窓から限定された距離に配置される、請求項４に記載の光学素子。
【請求項８】
前記光入射窓に平行な仮想平面に沿った前記透光性チャネルの断面形状は、円、楕円、三角形、正方形、長方形、及び六角形のうちの一つである、請求項１に記載の光学素子。
【請求項９】
前記光学素子が、複数の伸長された層の伸長スタックであって、連続する層のペアは複数の点で結合されており、連続する層の連続するペアは異なる点で結合されており、前記層は透光性チャネルの前記壁を形成し、前記透光性チャネルは、伸長された層の前記伸長スタックの二つの連続する層の間の空間によって形成される、請求項１に記載の光学素子。
【請求項１０】
前記透光性チャネルの直径と前記透光性チャネルの長さとの間の比は、０．２より大きい、請求項１に記載の光学素子。
【請求項１１】
前記透光性チャネルの直径と前記透光性チャネルの長さとの間の比は、０．５より大きい、請求項１に記載の光学素子。
【請求項１２】
前記壁の厚さは前記ラスター構造の間隔の１／３より小さく、前記ラスター構造の前記間隔は、透光性チャネルの中心点から隣接する透光性チャネルの中心点までの距離によって定義され、前記壁の前記厚さは、前記透光性チャネルに面する前記壁の表面から隣接する透光性チャネルに面する前記壁の他の表面までの最短距離として定義される、請求項１に記載の光学素子。
【請求項１３】
光源及び請求項１に記載の光学素子を備える照明システムであって、前記光源は、前記光学素子の前記透光性セルの前記光入射窓に向けて光を出射する、照明システム。
【請求項１４】
前記光源は、ある色点の光を出射し、前記色点は、色空間の黒体線に近い点である、請求項１３に記載の照明システム。
【請求項１５】
請求項１に記載の光学素子、又は請求項１３に記載の照明システムを備える照明器具。
【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
照明装置であって、
光出力を供給するための少なくとも１つの光源と、
各調光モードが前記照明装置により採用可能な複数の異なる調光方法のなかからのそれぞれの所定の調光方法と関連付けられる複数の調光モードから選択された現在の調光モードにより前記光出力の調光を供給するための手段と、
前記照明装置は、前記調光された光出力に符号を埋め込むための手段と、を有し、
前記調光された光出力に符号を埋め込むための手段は、期間Ｔにおける前記調光された光出力の積算値が前記符号を埋め込むために変調されるように、瞬時の調光された光出力を制御する、照明装置。
【請求項２】
前記符号は、インテグレート及びダンププロセスにより抽出可能なように、前記調光された光出力に変調される、請求項１記載の照明装置。
【請求項３】
前記現在の調光モードは、前記光源に対して要求される光出力レベルＤＬに応じて選択される、請求項１又は２に記載の照明装置。
【請求項４】
２つの調光モードを有する場合、前記要求される光出力レベルＤＬが所定の閾値レベルよりも小さければ、第１のモードが採用され、前記要求される光出力レベルＤＬが前記所定の閾値レベルよりも大きければ、第２のモードが採用される、請求項３記載の照明装置。
【請求項５】
前記符号を埋め込むための前記変調は、前記現在の調光モードに関連付けられた符号変調スキームによりなされる、請求項１乃至４のいずれか１項に記載の照明装置。
【請求項６】
前記現在の調光モードが前記第１のモードであれば、第１の符号変調スキームが採用され、前記現在の調光モードが前記第２のモードであれば、第２の符号変調スキームが採用される、請求項４に従属する請求項５に記載の照明装置。
【請求項７】
前記複数の異なる調光方法は、振幅変調調光、パルス幅変調調光、及び、パルス密度変調調光を有する、請求項１乃至６のいずれか１項に記載の照明装置。
【請求項８】
請求項１乃至７のいずれか１項に記載の照明装置から発せられる信号を受信するための手段と、
インテグレート及びダンププロセスにより前記符号を抽出するための手段と、を有する受信器。
【請求項９】
前記受信された信号は、光信号ＬＳであり、前記受信器は、前記受信された信号を抽出するための前記手段に入る前に、前記受信された光信号を電気信号に変換するための手段を更に有する、請求項８記載の受信器。
【請求項１０】
前記インテグレート及びダンププロセスは、
長さＴの複数の期間の各々に対して、
前記期間Ｔにおいて前記受信された信号を積分するステップと、
前記期間において前記受信された信号の積算値の結果を記録するステップと、を有し、
前記記録された積算値の結果の順序は、前記符号と関連付けられる、請求項８又は９に記載の受信器。
【請求項１１】
前記照明装置から受信した信号強度について推定を行なう、請求項８乃至１０のいずれか１項に記載の受信器。
【請求項１２】
請求項１乃至７のいずれか１項に記載の少なくとも１つの照明装置と、請求項８乃至１１のいずれか１項に記載の少なくとも１つの受信器と、を有する、照明システム。
【請求項１３】
照明装置により採用可能な複数の異なる調光方法のなかからの各調光方法により光源からの光出力を調光することをそれぞれ表している複数の調光モードを採用する照明装置のための符号変調方法であって、
前記複数の調光モードから選択された現在の調光モードで調光されている場合、期間Ｔにおける前記調光された光出力の積算値が前記符号を埋め込むために変調されるように、前記照明装置からの瞬時の調光された光出力を制御するステップを有する、方法。
【請求項１４】
前記光出力から前記符号を抽出するステップを更に有し、前記符号を抽出するステップは、インテグレート及びダンププロセスにより、前記調光された光出力の受信部分を処理するステップを有する、請求項１３記載の符号変調方法。
【手続補正書】
【提出日】平成27年2月10日(2015.2.10)
【手続補正１】
【補正対象書類名】特許請求の範囲
【補正対象項目名】請求項１７
【補正方法】変更
【補正の内容】
【請求項１７】
第１電解質の一部として使用される溶媒がイオン性液体から成る請求項１５に記載の方法。
【手続補正２】
【補正対象書類名】明細書
【補正対象項目名】００５１
【補正方法】変更
【補正の内容】
【００５１】
この実施態様において、アルミニウムの金属の酸化によって形成される「還元物質」は、Ｎａ２Ｓ３１６２である。溶媒１５８としては、形成されるＮａ２Ｓ３を少なくとも部分的に溶解できるものが選択される。
【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
イオン化充填剤を有する放電空間を囲むセラミック体を有し、前記放電空間が封止材料で気密な態様で封止される放電容器において、当該封止材料が、
ルテニウム（Ｒｕ）、オスミウム（Ｏｓ）、レニウム（Ｒｅ）から成る第１群から選択された少なくとも１つの第１成分を有し、ケイ素（Ｓｉ）、ホウ素（Ｂ）、リン（Ｐ）から成る第２群から選択された少なくとも１つの第２成分を有することを特徴とする、放電容器。
【請求項２】
更に、セラミック体に封止された端部と、電極フィードスルー部にはめ込まれた電極とを有し、前記電極フィードスルー部が前記封止材料で前記端部に封止され、前記電極が前記端部から前記放電容器の中に延びることを特徴とする、請求項１に記載の放電容器。
【請求項３】
前記放電空間でのセラミック体が孔を有し、当該孔が前記封止材料によって封止されていることを特徴とする、請求項１又は請求項２に記載の放電容器。
【請求項４】
前記封止材料が、ｘ＋ｙ＋ｚ＝１として、ホウ化ルテニウム（ＲｕｘＢｚ）及びホウ化ルテニウム・イリジウム（ＲｕｘＩｒｙＢｚ）から成るろう付け合金の群から選択されたことを特徴とする、請求項１乃至請求項３のいずれか一項に記載の放電容器。
【請求項５】
ｚが、０．２＜＝ｚ＜＝０．４（原子分率）の範囲にあり、好ましくは封止材料がＲｕ０．６５Ｂ０．３５又はＲｕ０．７５Ｂ０．２５であることを特徴とする、請求項４に記載の放電容器。
【請求項６】
前記電極フィードスルー部が、ニオビウム（Ｎｂ）、モリブデン（Ｍｏ）、レニウム（Ｒｅ）、タングステン（Ｗ）、タンタル（Ｔａ）、イリジウム（Ｉｒ）から成る金属の群から選択される封止部を有することを特徴とする、請求項２に記載の放電容器。
【請求項７】
前記封止部が、ニオビウム（Ｎｂ），モリブデン（Ｍｏ）、及びレニウム（Ｒｅ）から選択されることを特徴とする、請求項６に記載の放電容器。
【請求項８】
前記電極フィードスルー部に沿って隙間が無いことを特徴とする、請求項２に記載の放電容器。
【請求項９】
前記端部に延長プラグが無いことを特徴とする、請求項２に記載の放電容器。
【請求項１０】
２５℃から３００℃の温度範囲にわたって、封止材料が６．５*１０−６Ｋ−１＜＝Ｅ＜＝７．０*１０−６Ｋ−１の範囲の線形熱膨張係数Ｅを有することを特徴とする、請求項１に記載の放電容器。
【請求項１１】
前記封止材料の線形熱膨張係数Ｅが、前記放電容器の前記セラミック材料の線形熱膨張係数及び前記封止部の線形熱膨張係数の平均の±０．５*１０−６Ｋ−１の範囲にあるように、選択された化合物を前記封止材料が有することを特徴とする、請求項６に記載の放電容器。
【請求項１２】
前記封止部が一部にあり、前記電極と外部接続部との間に延びることを特徴とする、請求項６に記載の放電容器。
【請求項１３】
少なくとも２つの外部電気接続部を有し、請求項１乃至１２のいずれか一項に記載された放電容器を有し、当該放電容器は少なくとも２本の電極を有し、各電極がそれぞれの前記外部電気接続部と接続される、電気ランプ。
【請求項１４】
ルテニウム（Ｒｕ）、オスミウム（Ｏｓ）、レニウム（Ｒｅ）、タンタル（Ｔａ）から成る第１群から選択された少なくとも１つの第１成分を有し、ケイ素（Ｓｉ）、ホウ素（Ｂ）、リン（Ｐ）から成る第２群から選択された少なくとも１つの第２成分を有し、更に、少なくとも第１群及び／又は第２群から選択された第３成分を有する、放電容器内における封止材料の使用。
【手続補正書】
【提出日】平成26年11月20日(2014.11.20)
【手続補正１】
【補正対象書類名】特許請求の範囲
【補正対象項目名】全文
【補正方法】変更
【補正の内容】
【特許請求の範囲】
【請求項１】
ＬＥＤ実装回路基板とヒートシンクとの間に熱管理組成物を適用する方法であって、前記ＬＥＤ実装回路基板が少なくとも１つのＬＥＤが実装された第１面、及び前記第１面の反対側にある第２面を有する基板を備え、
（ａ）熱管理組成物の付着物を少なくとも１つの開口部を有する付着手段を通じて前記ＬＥＤ実装回路基板の前記第２面又は前記ヒートシンクの表面のいずれかに適用する工程であって、前記少なくとも１つの開口部が側壁で囲まれた外周部を有し、前記側壁が高さを有し、前記高さが前記付着手段の平均高さと比べて、前記付着手段の前記開口部の前記外周部の少なくとも一部の周囲で低くなっている、工程と、
（ｂ）前記ＬＥＤ実装回路基板及び前記ヒートシンクを固定する工程であって、前記熱管理組成物が前記ＬＥＤ実装回路基板の前記第２面と前記ヒートシンクの表面との間に存在する、工程と、
を含む方法。
【請求項２】
前記付着手段がダウンステップステンシルであり、前記工程（ａ）がステンシル印刷によって実施される、請求項１に記載の方法。
【請求項３】
前記付着手段が複数の開口部を有するスクリーンであり、各開口部が高さを有する側壁に囲まれており、前記側壁の高さが、前記スクリーンの平均厚みと比べて、前記スクリーンの各開口部の外周部の少なくとも一部で低くなっており、前記工程（ａ）がスクリーン印刷によって実施される、請求項１に記載の方法。
【請求項４】
前記熱管理組成物が、
（Ａ）１分子あたり平均で少なくとも２つの脂肪族不飽和有機基を有するポリオルガノシロキサンベースポリマーと、
任意で（Ｂ）１分子あたり平均で少なくとも２つのケイ素結合水素原子を有する架橋剤と、
（Ｃ）ヒドロシリル化反応触媒及び過酸化物硬化触媒から選択される触媒と、
（Ｄ）熱伝導性充填剤と、
（Ｅ）前記成分（Ａ）に可溶性の有機可塑剤であって、前記組成物の硬化を阻害しない有機可塑剤と、
を含むシリコーン組成物であり、ただし、前記触媒がヒドロシリル化反応触媒である場合には成分（Ｂ）が存在する、シリコーン組成物である、請求項１〜３のいずれか一項に記載の方法。
【請求項５】
前記成分（Ｄ）が、窒化アルミニウム、酸化アルミニウム、アルミニウム三水和物、チタン酸バリウム、酸化ベリリウム、窒化ホウ素、炭素繊維、ダイヤモンド、黒鉛、水酸化マグネシウム、酸化マグネシウム、金属微粒子、オニキス、炭化ケイ素、炭化タングステン、酸化亜鉛、及びこれらの組み合わせ、を含有する、請求項１〜４のいずれか一項に記載の方法。
【請求項６】
前記成分（Ｅ）が１分子あたり平均で、以下の式の少なくとも１つの基を有する、請求項１〜５のいずれか一項に記載の方法。
【化１】
2014517440.tif 000001
（式中、Ｒ５は水素原子又は１価の有機基を表す。）
【請求項７】
前記成分（Ｅ）が、以下の式を有する、請求項１〜６のいずれか一項に記載の方法。
【化２】
2014517440.tif 000002
（式中、Ｘは環状の炭化水素基を表し、下付き文字ｘは３〜１５の範囲の値を有し、各Ｒ６は独立して分岐鎖又は直鎖の１価の炭化水素基であり、各Ｒ’は独立して分岐鎖若しくは直鎖の炭化水素原子又は１価の有機基である。）
【請求項８】
前記成分（Ｅ）が、ビス（２−エチルヘキシル）テレフタレート；ビス（２−エチルヘキシル）−１，４−ベンゼンジカルボキシレート；２−エチルヘキシルメチル−１，４−ベンゼンジカルボキシレート；１，２シクロヘキサンジカルボン酸、ジノニルエステル、分岐鎖及び直鎖状；ビス（２−プロピルヘプチル）フタレート又はジ−（２−プロピルヘプチル）フタレート；ジイソノニルアジペート；トリオクチルトリメリテート；トリエチレングリコールビス（２−エチルヘキサノエート）；ジエチレングリコールジベンゾエート；１，１，３−トリス（２−メチル−４−ヒドロキシ−５−ｔｅｒｔ−ブチルフェニル）ブタン；ジ（２−エチルヘキシル）フタレート；ビス（２−エチルヘキシル）アジペート；ジメチルフタレート；ジエチルフタレート；ジブチルフタレート；ジ−２−エチルヘキシルアジペート；１，２，４−ベンゼントリカルボン酸、トリス（２−エチルヘキシル）エステル；トリオクチルトリメリテート；トリエチレングリコールビス（２−エチルヘキサノエート）；ビス（２−エチルヘキシル）テレフタレート；ジエチレングリコールジベンゾエート；１，１，３−トリス（２−メチル−４−ヒドロキシ−５−ｔｅｒｔ−ブチルフェニル）ブタン；１，２，３−トリアセトキシプロパン；脂肪酸エステル；及びこれらの組み合わせから選択される、請求項１〜７のいずれか一項に記載の方法。
【請求項９】
（Ｆ）スペーサー、（Ｇ）補強性又は増量充填剤、（Ｈ）充填剤処理剤、（Ｉ）接着促進剤、（Ｊ）賦形剤、（Ｋ）界面活性剤、（Ｌ）融剤、（Ｍ）酸受容体、（Ｎ）安定剤、及びこれらの組み合わせ、から選択される追加成分を更に含む、請求項１〜８のいずれか一項に記載の方法。
【請求項１０】
前記熱管理組成物が硬化される、請求項１〜９のいずれか一項に記載の方法。
【請求項１１】
前記工程（ｂ）の前に、前記熱管理組成物が硬化される、請求項１〜１０のいずれか一項に記載の方法。
【請求項１２】
前記工程（ｂ）の後に、前記熱管理組成物が硬化される、請求項１〜１０のいずれか一項に記載の方法。
【誤訳訂正書】
【提出日】平成27年5月25日(2015.5.25)
【誤訳訂正１】
【訂正対象書類名】明細書
【訂正対象項目名】００１９
【訂正方法】変更
【訂正の内容】
【００１９】
いくつかの実施形態において、堆積反応炉は前記プラズマ源と前記反応室との間に基板移送室を備える。基板移送室は、ロードロック用のインタフェースを備えてもよい。
【誤訳訂正２】
【訂正対象書類名】明細書
【訂正対象項目名】００３４
【訂正方法】変更
【訂正の内容】
【００３４】
図１は、堆積反応炉（プラズマＡＬＤ反応炉など）の側面図である。本堆積反応炉は、基板移送室１２０の下方、ＡＬＤ反応炉モジュール１３０の内部に反応室（図１には図示せず）を備える。原料ガスは、原料ガス管路１０１を通って反応室の上側にあるプラズマ源１１０に流入する。プラズマ源１１０によって原料ガスから発生させたラジカルが管路１０２を通って反応室に向かって流れる。プラズマ源１１０と反応室との間に基板移送室１２０がある。少なくとも１つの基板が基板移送室１２０を介して反応室内に装填される。基板移送室１２０は、前記少なくとも１つの基板を装填するためのロードロックなどに対するインタフェースを備える。一例示的実施形態において、このインタフェースは、ゲート弁を有するロードロックを取り付け可能なロードロックフランジ１２２などでもよい。一例示的実施形態において、少なくとも１つの基板を移送室内へ装填する手順は、自動化されてもよい。あるいは、少なくとも１つの基板を手動で装填してもよい。移送室に組み込まれた大型ハッチ１２３は、手動装填および取り出しに特に適している。
【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
少なくとも１つの光結合部により互いに光学的に結合された第１及び第２導光層であって、前記光結合部が前記第１導光層から前記第２導光層への光の通過を可能にし、前記少なくとも１つの光結合部が前記第１導光層の長軸に対して平行な前記第１及び第２導光層の隣接するエッジを結合するエッジ結合部を有する前記第１及び第２導光層と、
複数の光源であって、平均して光が前記第１導光層の前記長軸に対して平行な方向に進行するように、各光源が当該光源により放出される光が前記第１導光層の前記長軸に対して実質的に垂直に配置された境界面において該第１導光層に導入されるように配置される複数の光源と、
光が前記第２導光層の放出面から放出されるようにする散乱エレメントと、
を有する照明器具。
【請求項２】
前記第１導光層、前記第２導光層及び前記少なくとも１つの光結合部のうちの少なくとも１つが、２の平方根より大きな屈折率を持つ材料から形成される請求項１に記載の照明器具。
【請求項３】
前記少なくとも１つの光結合部が２つの離隔された鏡面を有する請求項１に記載の照明器具。
【請求項４】
前記少なくとも１つの光結合部が、前記第１及び第２導光層の内側に向いた面の間を通過する少なくとも１つの光結合エレメントを有する請求項１ないし３の何れか一項に記載の照明器具。
【請求項５】
光を所望の角度範囲内に導入するための、前記第２導光層に関連付けられた光学構造部を更に有する請求項１ないし４の何れか一項に記載の照明器具。
【請求項６】
前記光学構造部が、前記第２導光層における前記放出面又は該放出面とは反対の内側に向いた面に形成される請求項５に記載の照明器具。
【請求項７】
前記第１及び第２導光層並びに前記光結合部が一体的に形成される請求項１ないし６の何れか一項に記載の照明器具。
【請求項８】
前記第１導光層にギャップを有し、該ギャップが前記第１導光層の長軸に沿って対向する、該第１導光層の２つのエッジの間に延在する請求項１ないし７の何れか一項に記載の照明器具。
【請求項９】
前記第１導光層に複数の空洞を有し、各空洞は、前記境界面を形成すると共に前記第１導光層の前記長軸に対して実質的に垂直に延びる側壁を有し、各空洞内に前記複数の光源のうちの少なくとも１つが前記側壁に向かって光を放出するように配置される請求項１ないし８の何れか一項に記載の照明器具。
【請求項１０】
各空洞が２つの収束する側壁を有し、各空洞内の光源が前記２つの収束する側壁から離れる方向を向く請求項９に記載の照明器具。
【請求項１１】
前記複数の光源が第１組及び第２組の光源を有し、各組の光源が異なる色の光を放出する請求項１ないし１０の何れか一項に記載の照明器具。
【請求項１２】
前記第１導光層に光学構造部のアレイを有し、これら光学構造部の各々は前記複数の光源における２つの間の直線経路上に配置されて、該経路に沿う当該光源の一方又は他方により放出される光を反射する請求項１ないし１１の何れか一項に記載の照明器具。
【請求項１３】
前記散乱エレメントが前記第１導光層と前記第２導光層との間に配置される請求項１ないし１２の何れか一項に記載の照明器具。
【請求項１４】
請求項１ないし１３の何れか一項に記載の照明器具を有するモジュール型パネルシステムのためのパネル支持エレメント。
【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
基板と、
前記基板に装着された発光ダイオードのアレイと、
動作時に前記発光ダイオードのアレイを単一の光源に近似するため前記発光ダイオードのアレイを囲む光学構造と、
を有する照明モジュールにおいて、
前記光学構造は、複数の光学素子を有し、各光学素子は、前記照明モジュールの動作時に前記光学構造を通して発光ダイオードを観測したときに、−αｍａｘと＋αｍａｘとの間の略一定である偏角αの関数である光度プロファイルを提供するように構成されており、前記αｍａｘは、前記光学構造における各光学素子の位置に依存して各光学素子により提供される最大偏角であることを特徴とする、照明モジュール。
【請求項２】
前記光学素子の最大偏角αｍａｘは、前記光学素子のサイズによって制御される、請求項１に記載の照明モジュール。
【請求項３】
前記光学素子は非球面小型レンズを形成する、請求項１又は２に記載の照明モジュール。
【請求項４】
前記光学素子の最大偏角αｍａｘは、前記光学素子のサイズとともに線形に増大する、請求項３に記載の照明モジュール。
【請求項５】
前記光学素子は、放物線形状を持つ少なくとも１つの断面を持つ小型レンズを形成する、請求項４に記載の照明モジュール。
【請求項６】
前記光学素子は、前記発光ダイオードのアレイに面する、前記光学構造の第１の側面に配置される、請求項１乃至５のいずれか一項に記載の照明モジュール。
【請求項７】
前記光学素子は凸形状又は凹形状を持つ、請求項１乃至６のいずれか一項に記載の照明モジュール。
【請求項８】
前記複数の光学素子がジオデシックドームを形成する、請求項１乃至６のいずれか一項に記載の照明モジュール。
【請求項９】
前記光学素子は多角形の輪郭を持つ、請求項８に記載の照明モジュール。
【請求項１０】
２つの隣接する光学素子が互いに接触する側がレンズとして成形されている、請求項９に記載の照明モジュール。
【請求項１１】
前記光学構造は更に、二次的な光学的機能を提供するための光学要素を有する、請求項１乃至１０のいずれか一項に記載の照明モジュール。
【請求項１２】
前記光学構造は更に、前記照明モジュールの光学的性能を調節するための手段を有する、請求項１乃至１１のいずれか一項に記載の照明モジュール。
【請求項１３】
前記光学構造は、前記構造のスペクトル透過特性を調節するための色素を有する、請求項１２に記載の照明モジュール。
【請求項１４】
請求項１乃至１３のいずれか一項に記載の照明モジュールと、特定用途向けの照明分布を提供するための前記照明モジュールに対して協働可能に構成された二次的な光学素子と、を有する照明装置。